(57)【要約】  入力装置は、押圧部と、スペーサと、回転カムと、センサと、を備える。押圧部は、第１の方向に沿って往復に移動可能である。スペーサは、押圧部に対し、第１の方向に設置され、押圧部の移動に伴い第１の方向に沿って往復に移動可能である。回転カムは、スペーサに対し、押圧部と反対側に配置され、スペーサの移動に伴い、第１の方向に垂直な面内で回転する。センサは、回転カムの回転を検出する。
2015159494.tif 000002
【特許請求の範囲】
【請求項１】
第１の方向に沿って往復に移動可能な押圧部と、
前記押圧部に対し、前記第１の方向に設置され、前記押圧部の移動に伴い前記第１の方向に沿って往復に移動可能なスペーサと、
前記スペーサに対し、前記押圧部と反対側に配置され、前記スペーサの移動に伴い、前記第１の方向に垂直な面内で回転する回転カムと、
前記回転カムの回転を検出するセンサと、
を備え、
前記スペーサにおける前記回転カムに対向する面に複数の凸部が形成されており、且つ、前記回転カムは、前記スペーサの前記複数の凸部に対向する位置に複数の凹部を有している、あるいは
前記回転カムにおける前記スペーサに対向する面に複数の凸部が形成されており、且つ、前記スペーサは、前記回転カムの前記複数の凸部に対向する位置に、複数の凹部を有しており、
前記複数の凹部の各々は、斜面を有しており、
前記押圧部の押圧により、前記スペーサが押圧され、前記複数の凸部のうちの少なくとも一つが、前記斜面を押圧し、前記回転カムが回転し、前記センサが前記回転カムの回転を検出する
入力装置。
【請求項２】
前記複数の凹部の各々は、前記斜面と、第１の面と、前記斜面と前記第１の面との間の平坦部を有している
請求項１に記載の入力装置。
【請求項３】
前記斜面と前記平坦部のなす角度は、前記第１の面と前記平坦部のなす角度よりも小さい
請求項２に記載の入力装置。
【請求項４】
前記押圧部の内周側に少なくとも一部が配置された回転操作部をさらに備え、
前記押圧部が押圧された場合、前記回転操作部の底面が前記スペーサを押圧し、
前記押圧部が回転された場合、前記押圧部の回転に連動して、前記回転操作部が回転するように、前記回転操作部は構成されている
請求項１に記載の入力装置。
【請求項５】
前記回転操作部と前記スペーサとの間にクリックバネをさらに備え、
前記回転操作部の底面には、第１の突起が形成されており、
前記クリックバネの前記回転操作部に対向する側には、第２の突起が形成されており、
前記回転操作部が一定量回転すると、前記第１の突起が前記第２の突起に接触する
請求項４に記載の入力装置。
【請求項６】
前記回転カムに対し、前記スペーサと反対側に設置されたベースをさらに備え、
前記ベースは、基部と、前記回転カムの周囲に形成され、前記基部から前記スペーサの方向に突出したガイド部を有しており、
前記スペーサは前記ガイド部によりガイドされている
請求項１に記載の入力装置。
【請求項７】
前記ベースは、前記ガイド部から前記基部の外周に向けて突出した検知機構を有し、
前記検知機構は、第１押圧バネと、前記第１押圧バネの先端に設置された第１接触体とを有し、
前記回転カムは外周に凹凸部を有し、
初期状態において、前記第１接触体は、前記凹凸部に係止されており、前記回転カムの回転により、前記第１接触体は、前記凹凸部から外れる
請求項６に記載の入力装置。
【請求項８】
前記ベースは、前記ガイド部から前記基部の外周に向けて突出した復帰機構を有し、
前記復帰機構は、第２押圧バネと、前記第２押圧バネの先端に設置された第２接触体とを有し、
前記回転カムの外周は外周突起部を有し、
前記外周突起部が前記第２接触体を押圧することにより、前記回転カムの回転が制限される
請求項６に記載の入力装置。
【請求項９】
前記スペーサと、前記回転カムは環状である
請求項１に記載の入力装置。
【請求項１０】
前記回転操作部と前記押圧部との間に表示部をさらに備える
請求項１に記載の入力装置。
【発明の詳細な説明】
【技術分野】
【０００１】
本開示は、各種電子機器に用いられる入力装置に関する。
【背景技術】
【０００２】
近年、押圧操作型あるいは回転操作型などの入力装置が用いられている。これらの入力装置は、車室内のコントロールパネル部に設置され、車室内のオーディオやエアコンなどの各種電子機器を操作するために用いられる。使い易く、かつ、確実に操作できる入力装置が求められている。【０００３】
図５は、従来の入力スイッチ６０（入力装置）の垂直断面図である。押込部２と、回転部３と、配線部４とが、本体１の内部に配置されている。押込部２が中心軸５０に沿って回転部３の方に押し込まれると、押込部２の底面に設けられたカム面５と、回転部３の上面に設けられたカム面５５とが互いに接触する。押込部２が回転部３の方向に押し込まれることに応じて、回転部３は中心軸５０の周りを回転する。【０００４】
回転部３が回転することより、回転部３に固定された接続部６も、中心軸５０の周りを回転する。そして、接続部６は、配線部４の上面に設けられた配線パターン７と電気的に接続する。図５は押込部２が概ね押し込まれ、接続部６と配線パターン７とが接続された状態を示している。【０００５】
以上のように、入力スイッチ６０は、押込部２が押し込まれることにより接続状態となり、押し込みを解除することにより非接続状態となる。【０００６】
なお、この出願に関連する先行技術文献としては、例えば、特許文献１が知られている。
【先行技術文献】
【特許文献】
【０００７】
【特許文献１】特開２００６−２９４２５９号公報
【発明の概要】
【０００８】
入力装置は、押圧部と、スペーサと、回転カムと、センサと、を備える。押圧部は、第１の方向に沿って往復に移動可能である。スペーサは、押圧部に対し、第１の方向に設置され、押圧部の移動に伴い第１の方向に沿って往復に移動可能である。回転カムは、スペーサに対し、押圧部と反対側に配置され、スペーサの移動に伴い、第１の方向に垂直な面内で回転する。センサは、回転カムの回転を検出する。
【０００９】
スペーサにおける回転カムに対向する面に複数の凸部が形成されており、且つ、回転カムは、スペーサの複数の凸部に対向する位置に複数の凹部を有している。あるいは、回転カムにおけるスペーサに対向する面に複数の凸部が形成されており、且つ、スペーサは、回転カムの複数の凸部に対向する位置に、複数の凹部を有している。
【００１０】
複数の凹部の各々は、斜面を有している。
【００１１】
押圧部の押圧により、スペーサが押圧され、複数の凸部のうちの少なくとも一つが、斜面を押圧し、回転カムが回転し、センサが回転カムの回転を検出する。
【図面の簡単な説明】
【００１２】
【図１】図１は、本実施の形態における入力装置の側面図である。
【図２】図２は、本実施の形態における入力装置の分解斜視図である。
【図３】図３は、本実施の形態における入力装置の斜視図である。
【図４】図４は、本実施の形態における入力装置の水平断面図である。
【図５】図５は、従来の入力装置の垂直断面図である。
【発明を実施するための形態】
【００１３】
従来の入力スイッチ６０は、押込部２に加えた押し込み動作を、カム面５とカム面５５により、回転部３における回転動作に変換している。そのため、押込部２は、中心軸５０に沿って精度よく直線的に押し込まれる必要がある。すなわち、操作者は、押込部２に対して常に的確な方向で押し込む必要があり、この方向が傾くと接続部６と配線パターン７との接続、非接続を切り替えることが容易でなくなる。
【００１４】
図１は、本実施の形態における入力装置１００の側面図である。
【００１５】
入力装置１００は、押圧部８と、スペーサ９と、回転カム１０と、センサ１２と、を備える。押圧部８は、第１の方向に沿って往復に移動可能である。スペーサ９は、押圧部８に対し、第１の方向に設置され、押圧部８の移動に伴い第１の方向に沿って往復に移動可能である。回転カム１０は、スペーサ９に対し、押圧部８と反対側に配置され、スペーサ９の移動に伴い、第１の方向に垂直な面内で回転する。センサ１２は、回転カム１０の回転を検出する。
【００１６】
スペーサ９における回転カム１０に対向する面に複数の凸部１３が形成されており、且つ、回転カム１０は、スペーサ９の複数の凸部１３に対向する位置に複数の凹部１５を有している。あるいは、回転カム１０におけるスペーサ９に対向する面に複数の凸部１３が形成されており、且つ、スペーサ９は、回転カム１０の複数の凸部１３に対向する位置に、複数の凹部１５を有している。
【００１７】
複数の凹部１５の各々は、斜面１４を有している。
【００１８】
押圧部８の押圧により、スペーサ９が押圧され、複数の凸部１３のうちの少なくとも一つが、斜面１４を押圧し、回転カム１０が回転し、センサ１２が回転カム１０の回転を検出する。
【００１９】
（実施の形態）
入力装置１００について以下に詳細に説明する。スペーサ９と、回転カム１０は、環状に形成されている。スペーサ９は、押圧部８の上下の動きに応じて上下に動く。また、スペーサ９は、押圧部８の傾きを緩和する。回転カム１０は、スペーサ９の上下の動きに応じて回転する。センサ１２は回転カム１０の回転を検出し、ＯＮ信号またはＯＦＦ信号を出力する。ここで、図１に示すように、上方向とはスペーサ９からみて押圧部８の方向であり、下方向（第１の方向）とはスペーサ９からみて回転カム１０の方向である。
【００２０】
複数の凸部１３が、スペーサ９に形成されている。複数の凹部１５が、回転カム１０の、複数の凸部１３と対向する位置にそれぞれ形成されている。凸部１３と凹部１５により変換機構１１が構成されている。凹部１５は、斜面１４と、第１の面３４と、斜面１４と第１の面３４との間の平坦部３６とを有する。斜面１４と平坦部３６とのなす角度は、第１の面３４と平坦部３６のなす角度よりも小さくてもよい。第１の面３４と平坦部３６とのなす角度は９０°であってもよい。上記の構成にすることにより、押圧動作がスムーズに回転動作に変換される。
【００２１】
スペーサ９は押圧部８の傾きを緩和すると共に、押圧部８の上下の動きに伴い上下に動く。押圧部８の外周部が押圧されて押圧部８が傾いたまま上下に動いても、スペーサ９により、その傾きが緩和される。そのため、入力装置１００は、確実に操作される。
【００２２】
また、複数の凸部１３と複数の凹部１５のうち少なくとも一部の凸部１３が凹部１５に対向している。押圧部８が押圧されることにより、凸部１３が斜面１４を押圧する。これにより、回転カム１０が回転する。つまり、変換機構１１は、押圧部８に対する押圧動作（上下の動作）を回転動作（回転カム１０が回転する動作）へと変換する。
【００２３】
凸部１３が凹部１５の斜面１４を移動することにより、押圧動作が回転動作に変換される。すなわち、変換機構１１は、押圧動作をスムーズに回転動作へと変換する。複数の凸部１３のうちの一部の凸部１３が凹部１５に対向して、小さな力で押圧された場合でも、円滑に押圧動作は回転動作へと変換される。センサ１２は、非接触で回転カム１０の回転状態を検出する。
【００２４】
押圧部８の側面は、ガイドされていない。そのために、押圧部８は、傾いた状態で押圧される場合がある。しかし、変換機構１１により押圧操作は回転操作に変換されるため、傾いた状態で押圧部８が押圧されても、安定してＯＮとＯＦＦが切り替えられる。
【００２５】
本実施の形態では、スペーサ９に凸部１３が形成されており、凸部１３に対向する回転カム１０に凹部１５が形成されている。しかしながら、回転カム１０に凸部１３が形成され、スペーサ９に凹部１５が形成されていてもよい。
【００２６】
次に図１〜図４を参照して、入力装置１００の構成および動作の詳細について説明する。図２は、本実施の形態における入力装置１００の分解斜視図である。図３は、本実施の形態における入力装置１００の斜視図である。図４は、本実施の形態における入力装置１００の水平断面図である。
【００２７】
入力装置１００は、センサ１２を配置した基板４６に、ベース１６、回転カム１０、スペーサ９、クリックバネ１７、回転操作部１８、表示部１９、押圧部８が順に積み上げられて形成されている。押圧部８は中心軸１１０に沿って上下に動く。押圧部８の動きがスペーサ９に伝達される。
【００２８】
押圧部８の外周の一部が押圧された場合、押圧部８は傾いた状態で上下に動く。ベース１６は、基部４０と、ガイド部４２とを有している。ガイド部４２は、回転カム１０の周囲に形成され、基部４０からスペーサ１６の方向に突出している。スペーサ９はベース１６のガイド部４２にガイドされているので、その傾きが緩和されている。すなわち、押圧部８が若干大きく傾いて上下に動いても、スペーサ９は、あまり傾かずに上下に動くように構成されている。つまり、スペーサ９が上下に動く際に生じるスペーサ９の傾きは、押圧部８が上下に動く際に生じる押圧部８の傾きよりも小さくなる。
【００２９】
操作者が押圧部８に触れていない状態、つまり、操作者が押圧部８を操作していない状態では、凸部１３は斜面１４と接していない。
【００３０】
操作者が押圧部８を押圧すると、押圧部８は下方向に動く。押圧部８の動きに伴い、スペーサ９も下方向に動き、凸部１３が斜面１４を押圧する。回転カム１０には、押圧部８の押圧方向の変位に対応して、回転方向の変位が生じる。回転カム１０の回転が所定の角度に到達すると、図３に示すように、回転カム１０に形成された遮蔽部２０がセンサ１２に対応する位置に到達する。その結果、センサ１２は、操作者が押圧部８を押圧したことを検知し、ＯＮ信号を出力する。また、操作者が、押圧部８の押圧を解除すると、遮蔽部２０がセンサ１２に対応する位置からはずれ、センサ１２はＯＦＦ信号を出力する。すなわち、遮蔽部２０の移動により、センサ１２は、ＯＮ信号またはＯＦＦ信号を出力する。
【００３１】
ここで、センサ１２として、フォトインタラプタを用いるのが好ましい。フォトインタラプタを用いることにより、回転カム１０の回転動作に対して機械的なストレスや抵抗を与えることなく、回転カム１０の回転が検出できる。ただし、センサ１２の代わりにプッシュ式またはレバー式の接続部（図示せず）を用いて、遮蔽部２０の移動により、接続部がＯＮもしくはＯＦＦ（接触もしくは非接触）するようにしてもよい。
【００３２】
操作者が押圧を解除すると（押圧部８から手や指を離すと）、押圧部８は初期位置に戻る。この初期位置とは凸部１３が斜面１４と接触していない状態であり、図１において、押圧部８が最も上昇した位置である。
【００３３】
このように、斜面１４は、押圧部８が押圧されることにより、押圧動作を回転動作に変換する機能を有する。さらに、斜面１４は、押圧部８の押圧状態が解放されることにより、回転動作を押圧動作に変換する機能を有する。
【００３４】
斜面１４は可逆的動作の機能を果たす。すなわち、凸部１３が斜面１４上を移動することにより、押圧動作が回転動作になり、凸部１３が斜面１４から離れることにより、回転動作が押圧動作（直線動作）となる。そのため一つの凹部１５には一つの斜面１４が存在すればよい。すなわち、図１に示すように、凹部１５において第１の面３４と平坦部３６とのなす角度は９０°であってもよい。
【００３５】
先にも述べたように、変換機構１１は、凸部１３と凹部１５により構成されている。そして、凸部１３と凹部１５は、同一円周上に複数配置されている。これにより、押圧動作から回転動作への変換および回転動作から押圧動作（直線動作）への変換が円滑に行われる。
【００３６】
複数の凸部１３が、環状のスペーサ９に形成されている。また、複数の凹部１５が、環状の回転カム１０に形成されている。したがって押圧部８は、回転カム１０をモーメントによって回転させ易くなる。そのため、全ての凸部１３が全ての凹部１５を押圧する必要はない。つまり、一部の凸部１３が一部の凹部１５を押圧するだけで、押圧部８は回転カム１０を回転させることができる。
【００３７】
すなわち、操作者は押圧部８を偏った位置で押圧しても、押圧力（押圧動作）は容易に回転カム１０の回転力（回転動作）へと変換される。図１では、操作者が押圧部８の左側を押した場合を示している。この場合でも、左側に位置する凸部１３が凹部１５を押圧することにより、押圧力は容易に回転カム１０の回転力へと変換される。操作者が仮に不十分な押圧操作を行った場合であっても、入力装置１００はその操作を十分に検知できる。そのため、入力装置１００は高い操作性を有する。ここで、左側とは図１においてセンサ１２が記述されている側である。
【００３８】
また、変換機構１１はスペーサ９および回転カム１０に概ね均等な間隔で配置されるのが望ましい。
【００３９】
図４に示すように、本実施の形態では、変換機構１１は概ね６０°の間隔で６箇所に配置されている。しかし、変換機構１１が配置される間隔は、多少の偏りがあっても構わない。例えば、回転カム１０が任意の中心線によって２つの半円弧状の部分に分割された場合、一方の半円弧状の部分には少なくとも２箇所の変換機構１１が配置されていればよい。上記の構成により、操作者が押圧部８を偏った位置で押圧した場合でも、押圧力は容易に回転カム１０の回転力へと変換される。
【００４０】
また、柱状の表示部１９はベース１６に固定されており、押圧部８側に突出している。そして、表示部１９は回転しない。そのため、表示部１９は、押圧部８が極度に偏った位置や方向に押圧される状態（いわゆる極端な片押し状態）を防止できる。
【００４１】
操作者が押圧部８に対して押圧操作する場合、押圧部８に対応してスペーサ９が中心軸１１０に沿って下方向に動く。詳細には、操作者が押圧部８を押圧することにより、押圧部８の内周側に配置された回転操作部１８の底面の外周がスペーサ９を、下方向に押圧する。
【００４２】
さらに、押圧部８は押圧操作だけでなく回転操作も可能である。操作者が押圧部８を回転した場合、スペーサ９は回転には連動せず、押圧部８の内周側に配置された回転操作部１８が連動して回転する。
【００４３】
回転操作部１８が回転する場合、回転操作部１８の回転に関する変位は表示部１９の内部に設けられた検出部（図示せず）によって検出される。
【００４４】
回転操作部１８の底面には突起２１（第１の突起）が形成されている。クリックバネ１７の、回転操作部１８に対向する側には、突起２２（第２の突起）が形成されている。回転操作部１８が一定量回転すると、回転操作部１８の突起２１が、クリックバネ１７の突起２２に接触する。これにより、操作者は、押圧部８を回転操作する場合に、クリック感を手や指先から得られる。
【００４５】
また、押圧部８を押圧したときに、回転操作部１８を介してクリックバネ１７も押圧される。このとき、クリックバネ１７により上方向に押し上げる力が生じ、押圧部８への押圧を解除した際に、押圧部８に初期位置に戻る上方向の力が作用する。そのため、押圧部８は確実に初期位置に戻り易くなっている。
【００４６】
押圧操作と回転操作を別にする例として、例えば、入力装置１００をエアコンに適用し、設定温度を選択する操作として回転操作を用い、その選択を決定する操作として押圧操作を用いることなどが考えられる。
【００４７】
本実施の形態では、押圧部８と回転操作部１８は、別の異なる要素としている。しかし、押圧部８と回転操作部１８は、押圧部８に一体化されていても構わない。
【００４８】
本実施の形態では、操作者は押圧部８を偏った位置で押圧しても、凸部１３が凹部１５を押圧することにより、押圧力は容易に回転カム１０の回転力へと変換される。したがって、操作者が不十分な押圧操作を行った場合であっても、入力装置１００は、その操作を十分に検知できる。その結果、入力装置１００は高い操作性を有する。
【００４９】
次に、入力装置１００による切り替えが行われたこと、つまり、操作者が押圧部８を正しく押圧したことを、入力装置１００が操作者に伝える構成を説明する。
【００５０】
例えば、図４に示すように、検知機構２３がベース１６に設けられているのが好ましい。検知機構２３は、第１押圧バネ２４と、第１接触体２５とにより構成されている。第１押圧バネ２４は、弾性体で形成されている。第１接触体２５は、第１押圧バネ２４の回転カム１０側の先端に連結されている。ここで図４は、図１の押圧部８が押圧されていない状態（初期状態）を示している。そして、押圧部８が押圧操作されることに伴い、回転カム１０は図４のＲ方向に回転する。
【００５１】
図４に示す初期状態において、第１接触体２５は回転カム１０の外周に設けられた凹凸部２６に係止されている。ここで、凹凸部２６は、凸部１２０、１２２と、凹部１２４により構成されている。凸部１２０、１２２は、回転カム１０の外周側に突出している。凹部１２４は、凸部１２０と凸部１２２との間に形成されている。初期状態において、第１接触体２５は、凹凸部２６の凹部１２４に係止されている。
【００５２】
押圧部８が操作者によって押圧され始めると、回転カム１０がＲの方向に回転を始める。これに伴って凹凸部２６の凹部１２４に係止されていた第１接触体２５は、凸部１２０により第１押圧バネ２４の方向へ押圧され始める。その結果、第１押圧バネ２４に反発力が蓄えられる。
【００５３】
そして、押圧部８が操作者によってさらに深く押圧されると、第１接触体２５は、凹凸部２６の凹部１２４から凸部１２０を通じて凹凸部２６の外側の回転カム１０の外周に移動する。
【００５４】
そして、図３に示す遮蔽部２０がセンサ１２の位置に達すると、センサ１２は、回転カム１０が回転したことを検知する。つまり、操作者が入力装置１００を押圧操作したことをセンサ１２が検知する。そして遮蔽部２０がセンサ１２へ進入し、センサ１２が押圧操作を検知した時点で、第１接触体２５は、凹凸部２６から外れるように構成されている。
【００５５】
凹凸部２６の凹部１２４の反対側の凸部１２０の傾きは急峻になっている。そのために、第１接触体２５が凹凸部２６から外れた時点で、第１接触体２５が凹凸部２６から第１押圧バネ２４の方向に受けていた力が急激に無くなる。その結果、これまでに第１押圧バネ２４に蓄えられていた反発力が急激に解放され、この反発力によって第１接触体２５が回転カム１０の外周に衝突する。
【００５６】
このとき、第１接触体２５からの衝撃が回転カム１０を通じて押圧部８に伝達される。その結果、クリック感が発生する。このクリック感により、操作者は入力装置１００の状態を正しく認識できる。そのため、操作者は入力装置１００への指示をさらに的確に行える。
【００５７】
すなわち、本実施の形態において、入力装置１００のベース１６は、ガイド部４２から基部４０の外周に向けて突出した検知機構２３を有している。検知機構２３は、第１押圧バネ２４と、第１押圧バネ２４の先端に設置された第１接触体２５とを有している。回転カム１０は外周に凹凸部２６を有している。初期状態において、第１接触体２５は、凹凸部２６に係止されており、回転カム１０の回転により、第１接触体２５は、凹凸部２６から外れる。
【００５８】
なお、本実施の形態では、球状の第１接触体２５を例示している。しかし、第１接触体２５は球状に限らない。第１接触体２５は、第１接触体２５と回転カム１０の凹凸部２６とが接触しつつ円滑に位置関係が変化できるような形状であればよい。
【００５９】
また、先に述べたように、操作者が押圧部８を押圧した状態から手や指を離すと押圧部８は初期位置に戻る。この初期位置とは凸部１３が斜面１４を押圧していない状態（凸部１３と斜面１４が接触していない状態）であり、図１では押圧部８が最も上昇した位置に相当する。そして例えば、図４に示すようにベース１６に復帰機構２７を設けることにより、上記の動作を的確に行える。
【００６０】
復帰機構２７は、第２押圧バネ２８と、第２接触体２９により構成されている。第２押圧バネ２８は、弾性体で形成されている。第２接触体２９は、第２押圧バネ２８の回転カム１０側の先端に連結されている。先に述べたように、図４は初期状態を示しており、図１の押圧部８が押圧操作されていない状態である。そして、押圧部８を押圧操作することに伴って、回転カム１０は図４のＲ方向に回転する。
【００６１】
図４に示す初期状態において、第２押圧バネ２８は、第２接触体２９を介して外周突起部３０を押圧している。外周突起部３０は、回転カム１０の外周に設けられている。外周突起部３０は、回転カム１０がＲ方向の反対方向へ一定量以上移動しないように、設けられている。すなわち、外周突起部３０は、回転カム１０のＲ方向の反対方向への移動を限度位置で止める役目を果たしている。
【００６２】
押圧部８が操作者によって押圧されると、回転カム１０がＲの方向に回転する。これに伴って外周突起部３０は、第２押圧バネ２８の方向に第２接触体２９を押圧する。その結果、第２押圧バネ２８に反発力が蓄えられる。
【００６３】
操作者が押圧を止めると、第２押圧バネ２８の反発力により、外周突起部３０はＲ方向の反対方向へ限度位置まで回転して押し戻される。すなわち、操作者が押圧部８を押圧した状態から手や指を離すと押圧部８は初期位置に戻る。なお、上記の動作は、押圧部８への押圧量に関係なく行われる。
【００６４】
すなわち、入力装置１００のベース１６は、ガイド部４２から基部４０の外周に向けて突出した復帰機構２７を有している。復帰機構２７は、第２押圧バネ２８と、第２押圧バネ２８の先端に設置された第２接触体２９とを有している。回転カム１０の外周は外周突起部３０を有している。外周突起部３０が第２接触体２９を押圧することにより、回転カム１０の回転が制限される。
【００６５】
なお、検知機構２３と、復帰機構２７とは以下の関係で規定するのが好ましい。復帰機構２７が外周突起部３０を押圧する力は常に、回転カム１０がＲ方向と反対方向に回転するときに検知機構２３から受ける回転に対する抵抗力よりも大きくする。
【００６６】
これにより、操作者が押圧部８を押圧した状態から手や指を離すと、押圧部８は必ず初期位置に戻る。
【００６７】
なお、本実施の形態では、基板４６に、発光部（図示せず）と受光部（図示せず）からなる一つのセンサ１２を配置している。しかし、複数のセンサ１２を基板４６に配置しても構わない。また上記の説明では、操作者が入力装置１００を押圧することにより、ＯＮもしくはＯＦＦのいずれかの状態を選択する操作について述べた。しかし、複数のセンサ１２を基板４６に配置することにより、操作者は、入力装置１００のＯＮもしくはＯＦＦのみならず、押圧操作を段階的あるいは量的に制御できる。なお、センサ１２が設置される場所は、基板４６に限らず、ベース１６などでもよい。
【００６８】
以上のように本開示によれば、変換機構１１により、押圧動作をスムーズに回転動作へと変換できる。よって、操作者は傾いた状態で押圧部８を押圧することが可能となり、操作性の高い入力装置１００が得られる。
【産業上の利用可能性】
【００６９】
本発明による入力装置は、操作性を高くする効果を有し、各種電子機器等に有用である。
【符号の説明】
【００７０】
８  押圧部
９  スペーサ
１０  回転カム
１１  変換機構
１２  センサ
１３  凸部
１４  斜面
１５  凹部
１６  ベース
１７  クリックバネ
１８  回転操作部
１９  表示部
２０  遮蔽部
２１  突起
２２  突起
２３  検知機構
２４  第１押圧バネ
２５  第１接触体
２６  凹凸部
２７  復帰機構
２８  第２押圧バネ
２９  第２接触体
３０  外周突起部
３４  第１の面
３６  平坦部
４０  基部
４２  ガイド部
４６  基板
１００入力装置
１１０  中心軸
１２０，１２２  凸部
１２４  凹部
【図１】
2015159494.tif 000003
【図２】
2015159494.tif 000004
【図３】
2015159494.tif 000005
【図４】
2015159494.tif 000006
【図５】
2015159494.tif 000007
【手続補正書】
【提出日】平成28年9月15日(2016.9.15)
【手続補正１】
【補正対象書類名】明細書
【補正対象項目名】００２２
【補正方法】変更
【補正の内容】
【００２２】
また、複数の凸部１３のうち少なくとも一部の凸部１３が凹部１５に対向している。押圧部８が押圧されることにより、凸部１３が斜面１４を押圧する。これにより、回転カム１０が回転する。つまり、変換機構１１は、押圧部８に対する押圧動作（上下の動作）を回転動作（回転カム１０が回転する動作）へと変換する。
【国際調査報告】
2015159494.tif 000008
2015159494.tif 000009